(57)【要約】【課題】部品点数を少なくし、組み付け作業の容易化を図り、相手コネクタと嵌合する際に、無理なくスムーズに嵌合作業を行えるようにする。【解決手段】コネクタハウジング３０と、その後部に装着されるリアカバー１０とを備える。リアカバーは、左右一対の前部及び後部側壁１２、１３と、それらの上端間を繋ぐ上壁１１とを有し、下面が開口した断面逆Ｕ字形をなし、開口するリアカバーの下面から露出する電線１０と、後部側壁１３と、上壁１１とにテープの粘着面が粘着するよう、テープ巻きが施される。【選択図】図１
2010033946.tif 000002
【特許請求の範囲】
【請求項１】
電線の長手方向の端部に接続された端子が内部に収容固定されると共に前記電線が後端から引き出されたコネクタハウジングと、
前記コネクタハウジングの後部に装着されるリアカバーと、
を備え、
前記リアカバーは、該リアカバーが前記コネクタハウジングの後部に装着された際に前記電線を部分的に収容する空間を形成する複数の壁として、前記電線に臨む左側壁部、右側壁部、および上壁部を有し、
前記上壁部は、前記左側壁部と前記右側壁部との間を繋ぐように形成され、
前記電線の前記空間に収容された部分は、開口する前記リアカバーの下面から露出されており、
粘着テープが、前記電線と前記左側壁部と前記右側壁部と前記上壁部とに粘着するように、前記リアカバーが前記電線とともにテープ巻きされていることを特徴とするコネクタ。
【請求項２】
前記上壁部は、左右間の幅が前記リアカバーの前端側から後端側へ行くほど狭まった先窄まり形状をなすと共に、前記左側壁部および前記右側壁部は、前記上壁部の先窄まり形状に合わせて、前記リアカバーの前端側から後端側へ行くほど内方に傾斜する、
ことを特徴とする請求項１に記載のコネクタ。
【請求項３】
前記リアカバーの前記上壁部に、前記上壁部の後端から前端側に向けて延びるスリットが形成されていることを特徴とする請求項１または２に記載のコネクタ。
【発明の詳細な説明】
【技術分野】
【０００１】
本発明は、リアカバーを備えたコネクタに関するものである。
【背景技術】
【０００２】
特許文献１には、図３に示すように、コネクタハウジング１００の後部に、２つの半割体１１０Ａ、１１０Ｂを合体させることで構成される半割構造のリアカバー１１０を装着し、このリアカバー１１０により、コネクタハウジング１００の後部や、その後部から引き出された電線Ｗなどを保護するようにしたコネクタが開示されている。
【特許文献１】特開２００５−３３９８３６号公報
【発明の開示】
【発明が解決しようとする課題】
【０００３】
ところで、図３に示した上記従来のリアカバー１１０は、半割構造であるため、部品点数が２点必要であり、部品製造コストや部品管理コストが高くなるという問題がある。また、半割体１１０Ａ、１１０Ｂを合体しつつ、コネクタハウジング１００に係合させる必要があるため、装着が面倒である。また、半割体１１０Ａ、１１０Ｂを合体した構造であるため、コネクタハウジング１００を相手側コネクタに嵌合させるに当たって、指でリアカバー１１０を摘んだ際に、結合部分が歪んだりして、指の力をコネクタ嵌合力としてコネクタハウジング１００に有効に伝えられなかったり、結合部分の外れをおそれて、強く押圧力を加えることができずに、結果的にコネクタの嵌合を半嵌合の状態で終わらせてしまう可能性もある。実際上、嵌合作業を行いにくい場所でコネクタを嵌合させる場合は、コネクタハウジング１００が小さいと、コネクタハウジング１００を指でしっかりと摘めないので、リアカバー１００を摘んでの嵌合作業を行う必要があり、そのような不具合が起こり得る可能性は極力排除しておくのが望ましい。
【０００４】
本発明は、上述した事情に鑑みてなされたものであり、その目的は、部品点数を少なくして、部品製造コストや部品管理コストを低減すると共に、組み付け作業の容易化を図ることができ、しかも、相手コネクタと嵌合する際に、無理なくスムーズに嵌合作業を行うことのできるコネクタを提供することにある。
【課題を解決するための手段】
【０００５】
前述した目的を達成するために、本発明に係るコネクタは、下記（１）〜（３）を特徴としている。
（１）  電線の長手方向の端部に接続された端子が内部に収容固定されると共に前記電線が後端から引き出されたコネクタハウジングと、
前記コネクタハウジングの後部に装着されるリアカバーと、
を備え、
前記リアカバーは、該リアカバーが前記コネクタハウジングの後部に装着された際に前記電線を部分的に収容する空間を形成する複数の壁として、前記電線に臨む左側壁部、右側壁部、および上壁部を有し、
前記上壁部は、前記左側壁部と前記右側壁部との間を繋ぐように形成され、
前記電線の前記空間に収容された部分は、開口する前記リアカバーの下面から露出されており、
粘着テープが、前記電線と前記左側壁部と前記右側壁部と前記上壁部とに粘着するように、前記リアカバーが前記電線とともにテープ巻きされていること。
（２）  上記（１）の構成のコネクタにおいて、
前記上壁部は、左右間の幅が前記リアカバーの前端側から後端側へ行くほど狭まった先窄まり形状をなすと共に、前記左側壁部および前記右側壁部は、前記上壁部の先窄まり形状に合わせて、前記リアカバーの前端側から後端側へ行くほど内方に傾斜する、
こと。
（３）  上記（１）または（２）の構成のコネクタにおいて、
前記リアカバーの前記上壁部に、前記上壁部の後端から前端側に向けて延びるスリットが形成されていること。
【０００６】
上記（１）の構成のコネクタによれば、リアカバーが１個の部品として構成されているので、部品の製造コストや管理コストを削減することができるとともに、コネクタハウジングの後端から引き出される電線をテープ巻きする際に粘着テープの粘着面が電線に接着することによって、リアカバーと電線をテープ巻きにより強固に固定することができる。
また、リアカバーの左側壁部および右側壁部に２本の指を当てて、リアカバーを摘みながら、リアカバーに押し込み力を加えることにより、コネクタハウジングを相手側のコネクタハウジングに嵌合させることができるので、コネクタハウジングを直接摘んでの嵌合作業がやりづらい場所であっても、嵌合作業がしやすくなり、半嵌合も防止できるようになる。
また、上記（２）の構成のコネクタによれば、前端側から後端側にかけて先窄むリアカバーによって、コネクタハウジングの後端から引き出される電線の可動範囲が制限される。このように電線の可動範囲の自由度を小さくすることによって、コネクタハウジングの後端から引き出した電線の本数が少ない場合でも、リアカバーと電線をテープ巻きにより固定することができる。つまり、少ない本数の電線に効果的にテープの粘着面を接触させることができるため、リアカバーと電線をテープ巻きにより強固に固定することができる。さらに、傾斜した側壁部を指で摘みながら、リアカバーを前に押すので、指の力を有効に嵌合力として、リアカバーからコネクタハウジングに伝えることができ、嵌合が容易に行える。
また、上記（３）の構成のコネクタによれば、リアカバーの上壁部にスリットを設けているので、リアカバーの左側壁部および右側壁部を指で摘んで強く押すことにより、リアカバーの後端側を、より窄ませることができる。従って、コネクタハウジングの後端から引き出した電線の本数が少ない場合でも、電線とリアカバーの側壁部との間の隙間を小さくして電線の可動範囲の自由度を小さくしながら、リアカバーと電線をテープ巻きにより固定することができる。つまり、少ない本数の電線に馴染む形にリアカバーの後端側を変形させながら、テープ巻きできることになり、テープ巻き作業の容易化が図れるし、少ないテープの巻き数で、滑らかなテープ巻き形状を作ることができるようになる。
【発明の効果】
【０００７】
本発明によれば、リアカバーを単一部品化したので、部品点数の減少による製造コストや管理コストの低減を図ることができるとともに、コネクタハウジングの後端から引き出される電線をテープ巻きする際にテープの粘着面が電線に接着することによって、リアカバーと電線をテープ巻きにより強固に固定することができる。
【０００８】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【０００９】
以下、本発明に係る好適な実施形態を図面に基づいて詳細に説明する。
【００１０】
＜第１実施形態＞
図１は第１実施形態のコネクタの構成図で、（ａ）はリアカバー単体の構成を示す斜視図、（ｂ）はリアカバーをコネクタハウジングに装着した状態を示す外観斜視図、（ｃ）はリアカバーの後端と電線をテープ巻きした状態を、ロックアーム３５の根元を含む断面から視た断面図である。
【００１１】
本発明の第１実施形態のコネクタは、電線Ｗの先端に接続された端子（図示略）が内部に収容固定されると共に電線Ｗが後端から引き出されるコネクタハウジング３０と、該コネクタハウジング３０の後部に装着されるリアカバー１０と、を備えている。コネクタハウジング３０の前端面には、端子挿通孔３８が形成されており、端子挿通孔３８は、相手コネクタのコネクタハウジングがコネクタハウジング３０に嵌合する際に、相手コネクタに形成された端子によって挿通される。
【００１２】
リアカバー１０は、コネクタハウジング３０の後端から引き出される電線Ｗを隠す高さの左右一対の前部側壁１２及び後部側壁１３と、これら一対の前部側壁１２及び後部側壁１３の上端間を繋ぐ上壁１１とを有し、下面が開口した断面逆Ｕ字形をなしている。上壁１１は、左右間の幅が、前端１１ａ側から後端１１ｂ側へ行くほど狭まった先窄まり形状をなしている。また、左右の前部側壁１２は、互いに平行であるものの、左右の後部側壁１３は、上壁１１の先窄まり形状に合わせて、リアカバー１０の前端側から後端側へ行くほど内方に傾斜した傾斜壁として構成されている。このように前端側から後端側にかけて先窄むリアカバー１０によって、コネクタハウジングの後端から引き出される電線Ｗの可動範囲は制限される。
【００１３】
また、前部側壁１２の前端には、コネクタハウジング３０の側壁３２の後端面３２ａに突き当てられる突当部１２ａが確保され、その突当部１２ａには、コネクタハウジング３０の側壁３２の後端面に形成された凹所（図示略）に係合する係合突起１４が突設されている。また、上壁１１の前端には、コネクタハウジング３０の上壁３１の後端に設けた被ロック部３７に差し込まれてロックするロック片１６が突設されている。ロック片１６は、外側にロック爪１７を向け、互いに間隔をあけて左右一対設けられている。この場合、コネクタハウジング３０の被ロック部３７は、コネクタハウジング３０を相手コネクタのコネクタハウジングに嵌合してロックするためのロックアーム３６の後方側の連結部として設けられている。
【００１４】
このリアカバー１０をコネクタハウジング３０に装着するには、リアカバー１０を、コネクタハウジング３０の後端から引き出された電線Ｗの上に被せ、その状態で、コネクタハウジング３０の後端に向けてリアカバー１０の突当部１２ａを押し付ける。そして、そのままロック片１６を、コネクタハウジング３０側に差し込んで、コネクタハウジング３０側の被ロック部３７にロック片１６のロック爪１７をロックさせる。こうすることにより、コネクタハウジング３０にリアカバー１０を結合することができる。従って、リアカバー１０をコネクタハウジング３０に容易に装着することができる。
【００１５】
このようにしてリアカバー１０が装着されたコネクタハウジング３０において、その後端から引き出される電線Ｗに対してテープ巻きを施す。このとき、開口するリアカバーの下面から露出する電線１０と、後部側壁１３と、上壁１１とにテープの粘着面が粘着するよう、テープ巻きを施す。このようにテープを電線Ｗに巻きつけることによって、後部側壁１３および上壁１１によって電線の可動範囲の自由度が小さくなっているため、コネクタハウジングの後端から引き出した電線の本数が少ない場合でも、リアカバーと電線をテープ巻きにより固定することができる。つまり、少ない本数の電線に効果的にテープの粘着面を接触させることができるため、リアカバーと電線をテープ巻きにより強固に固定することができる。
【００１６】
また、この状態で、コネクタハウジング３０を相手コネクタのコネクタハウジングに嵌合させる場合には、リアカバー１０の左右後部側壁１３に２本の指を当てて、リアカバー１０を摘みながら、リアカバー１０を前方へ向けて押し込む。そうすると、リアカバー１０を介して、押し込み力がコネクタハウジング３０に伝えられることにより、コネクタハウジング３０が相手側のコネクタハウジングに嵌合される。
【００１７】
このように嵌合作業を行うことにより、コネクタハウジング３０を直接摘んでの嵌合作業がやりづらい場所であっても、嵌合作業がしやすくなり、半嵌合も防止できるようになる。その際、指で傾斜した後部側壁１３を摘みながら、リアカバー１０を前に押すので、指の力を有効に嵌合力として、リアカバー１０からコネクタハウジング３０に伝えることができ、嵌合が容易に行える。また、リアカバー１０の前部側壁１２の前端の突当部１２ａが、コネクタハウジング３０の後端面に突き当っているので、指からリアカバー１０に伝える前向きの力を、無駄なくコネクタハウジング３０に嵌合力として伝えることができ、安定した嵌合作業が可能となる。
【００１８】
また、リアカバー１０は、１個の部品として構成されているので、部品の製造コストや管理コストを削減することができる。また、リアカバー１０をコネクタハウジング３０に装着する場合は、リアカバー１０の前端をコネクタハウジング３０の後端面に突き当てて、ロック片１６をコネクタハウジング３０側に差し込むだけでよいので、コネクタハウジング３０側の被ロック部３７として、相手コネクタとロックするためのロックアーム３６や、その周囲の形状を利用することにより、コネクタハウジング３０側に特別な形状を追加する必要を無くすことができ、既存のコネクタハウジング３０にそのままリアカバー１０を取り付けることも可能である。
【００１９】
＜第２実施形態＞
図２は第２実施形態のコネクタの構成図で、（ａ）はリアカバー単体の構成を示す斜視図、（ｂ）はリアカバーをコネクタハウジングに装着した状態を示す外観斜視図、（ｃ）はリアカバーをコネクタハウジングに装着した状態を示す上面図、（ｄ）はリアカバーの後端と電線をテープ巻きした状態を示す上面図である。
【００２０】
このコネクタのリアカバー６０では、上壁１１に、該上壁１１の後端側の幅が小さくなる方向にリアカバー６０を撓ませるための複数のスリット１９が、上壁１１の後端から前端側に向けて延びるように形成されている。それ以外の構成は、前記第１実施形態と全く同じであるので、同一構成要素に同一符号を付して説明を省略する。
【００２１】
このコネクタによれば、リアカバー６０の上壁１１にスリット１９を設けているので、図２（ｄ）に示すように、リアカバー６０の左右後部側壁１３を指で摘んで、矢印Ａの方向に内側に強く押すことにより、リアカバー６０の後端側を窄ませることができる。従って、コネクタハウジング３０の後端から引き出した電線Ｗの本数が少ない場合でも、電線Ｗとリアカバー６０の後部側壁１３との間の隙間を小さくして電線の可動範囲の自由度を小さくしながら、リアカバー６０と電線ＷをテープＴを巻き付けることによって固定することができる。つまり、少ない本数の電線Ｗに馴染む形にリアカバー６０の後端側を変形させながら、テープＴを巻き付けることができるようになり、テープ巻き作業の容易化が図れるし、少ないテープＴの巻き数で、滑らかなテープ巻き形状を作ることができる。
【００２２】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【図面の簡単な説明】
【００２３】
【図１】本発明の第１実施形態のコネクタの構成図で、（ａ）はリアカバー単体の構成を示す斜視図、（ｂ）はリアカバーをコネクタハウジングに装着した状態を示す外観斜視図、（ｃ）はリアカバーの後端と電線をテープ巻きした状態を、ロックアーム３５の根元を含む断面から視た断面図である。
【図２】本発明の第２実施形態のコネクタの構成図で、（ａ）はリアカバー単体の構成を示す斜視図、（ｂ）はリアカバーをコネクタハウジングに装着した状態を示す外観斜視図、（ｃ）はリアカバーをコネクタハウジングに装着した状態を示す上面図、（ｄ）はリアカバーの後端と電線をテープ巻きした状態を示す上面図である。
【図３】従来のリアカバー付きコネクタの構成を示す斜視図である。
【符号の説明】
【００２４】
Ｗ  電線
１０  リアカバー
１１  上壁
１１ａ  前端
１１ｂ  後端
１２  前部側壁
１２ａ  突当部
１３  後部側壁
１６  ロック片
１９  スリット
３０  コネクタハウジング
３２ａ  側壁の後端面
３７  被ロック部
３８  端子挿通孔
【図１】
2010033946.tif 000003
【図２】
2010033946.tif 000004
【図３】
2010033946.tif 000005